(57)【要約】【課題】身体を接触させても怪我をする虞が少なく、しかも、廃棄処分も簡便であり、特に、介護や育児の際に好適に使用することができるペーパーホルダーを提供する。【解決手段】ロールペーパーを支承する支承軸１５が着脱可能に装着され、該支承軸１５により前記ロールペーパーを回転自在に保持するペーパーホルダー１０であって、設置部位への取り付けの基台となる基台部２０と、該基台部２０の左右両側から前方に突設されて前記支承軸を支持する側片部３０とを備え、前記基台部２０と前記側片部３０とが一体の紙材により折り曲げ形成されてなる。【選択図】        図１
2004154207.tif 000002
【特許請求の範囲】
【請求項１】
ロールペーパーを支承する支承軸が着脱可能に装着され、該支承軸により前記ロールペーパーを回転自在に保持するペーパーホルダーであって、
設置部位への取り付けの基台となる基台部と、該基台部の左右両側から前方に突設されて前記支承軸を支持する側片部とを備え、前記基台部と前記側片部とが一体の紙材により折り曲げ形成されてなることを特徴とするペーパーホルダー。
【請求項２】
前記両側片部を内方に付勢する付勢手段を備えることを特徴とする請求項１に記載のペーパーホルダー。
【請求項３】
前記側片部は、該側片部の外側を構成する外側片部と、該外側片部に対して折り畳まれて側片部の内側を構成する内側片部とを備えてなり、前記付勢手段は、前記外側片部または前記内側片部の一方から折り畳まれて外側片部と内側片部との間に挿入され、内側片部を内方に付勢する付勢片部により構成されていることを特徴とする請求項２に記載のペーパーホルダー。
【請求項４】
前記付勢手段は、前記基台部及び前記側片部を構成する紙材とは別途の部材により形成されると共に、基台部と側片部とに渡って取着されて、側片部を内方に付勢する付勢部材により構成されていることを特徴とする請求項２または請求項３に記載のペーパーホルダー。
【請求項５】
前記基台部の下端から折り曲げ形成され、端部をロールペーパーに当接させてロールペーパーの引き出し方向とは逆方向の回転を規制する規制片部を備えることを特徴とする請求項１から請求項４までのいずれか一つに記載のペーパーホルダー。
【発明の詳細な説明】
【０００１】
【発明の属する技術分野】
本発明は、ペーパーホルダーに関し、詳しくは、ロールペーパーを支承する支承軸が着脱可能に装着され、該支承軸により前記ロールペーパーを回転自在に保持するペーパーホルダーに関する。
【０００２】
【従来の技術】
紙材をロール状に巻回してなるトイレットペーパーやキッチンペーパー等のロールペーパーを回転自在に保持するペーパーホルダーは、一般的に、ロールペーパを支承する支承軸が着脱可能に装着され、この支承軸を介して、ロールペーパーを回転自在に保持するものでる。そして、従来のペーパーホルダーは、壁面等の設置部位への取り付けの基台となる基台部と、この基台部の左右両側から前方に突設されて支承軸を支持する側片部とを備え、基台部及び側片部が、ステンレス等の金属やＡＢＳ樹脂等の樹脂により、一体成形、或は、組み付けにより形成されてなるものであった。
【０００３】
なお、上述した従来技術は、一般的なものであり、本出願人は、これを特定する文献を特に知見していない。
【０００４】
【発明が解決しようとする課題】
従来のペーパーホルダーは、主体部を構成する基台部と側片部とが金属や樹脂により形成されたものであるため、十分な剛性を確保することができる一方で、使用に際して、以下のような問題を有するものであった。
【０００５】
ペーパーホルダーをトイレやキッチンの壁面等に恒常的且つ固定的に設置して使用する場合には、十分な剛性が確保されていることから好適であるが、例えば、病人の介護や乳幼児の育児の際に使用するために、ベッドや箪笥等の家具、ゴミ箱の側面等の設置部位に設置すると、十分な剛性があるがために、逆に、身体を接触させて怪我をする虞があり、使用に不適となってしまう。また、介護や育児に際して使用すると、汚れ易くなるのであるが、汚れたペーパーホルダーを新品のものに交換しようとしても、主体部分を構成する基台部及び側片部が金属や樹脂により形成されているため、汚れた古いペーパーホルダーの廃棄処分が面倒であり、新品のものに容易に交換することができない。
【０００６】
本発明は、上記実状を鑑みてなされたものであり、身体を接触させても怪我をする虞が少なく、しかも、廃棄処分も簡便であり、特に、介護や育児の際に好適に使用することができるペーパーホルダーの提供を課題とする。
【０００７】
【課題を解決するための手段】
請求項１の発明に係るペーパーホルダーは、ロールペーパーを支承する支承軸が着脱可能に装着され、該支承軸により前記ロールペーパーを回転自在に保持するペーパーホルダーであって、設置部位への取り付けの基台となる基台部と、該基台部の左右両側から前方に突設されて前記支承軸を支持する側片部とを備え、前記基台部と前記側片部とが一体の紙材により折り曲げ形成されてなることを特徴とするものである。
【０００８】
本発明では、主体部分を構成する基台部及び側片部が紙材により形成されているため、すなわち「紙製」であるため、身体を接触させても、怪我をする虞が少なくなる。また、汚れた場合に廃棄するに際しても、主体部分が紙製であるため、廃棄処分が容易である。さらに、基台部及び側片部は、折り曲げ形成されているため、単一の素材により一体的に形成されることになる。よって、別体の素材を相互に組み付けて形成する場合に比して、ペーパーホルダーとして使用可能な程度の剛性を確保し易く、しかも、形成作業も容易となる。
【０００９】
請求項２の発明に係るペーパーホルダーは、請求項１の発明に係るペーパーホルダーにおいて、前記両側片部を内方に付勢する付勢手段を備えることを特徴とするものである。
【００１０】
ここで、付勢手段としては、側片部を内方に付勢することができるものであれば、その具体的な構成を限定するものではなく、基台部及び側片部を構成する紙材と一体のものであってもよく、或は、別体のものであってもよい。
【００１１】
左右の側片部が外方に広がると、両側片部間に装着された支承軸が不用意に脱落する虞がある。これに対して、本発明では、基台部から突設された左右の側片部が、付勢手段によって内方に付勢されるため、外方に広がり難くなり、装着された支承軸が不用意に脱落することが防止される。
【００１２】
請求項３の発明に係るペーパーホルダーは、請求項２の発明に係るペーパーホルダーにおいて、前記側片部は、該側片部の外側を構成する外側片部と、該外側片部に対して折り畳まれて側片部の内側を構成する内側片部とを備えてなり、前記付勢手段は、前記外側片部または前記内側片部の一方から折り畳まれて外側片部と内側片部との間に挿入され、内側片部を内方に付勢する付勢片部により構成されていることを特徴とするものである。
【００１３】
本発明では、付勢手段が、基台部及び側片部を構成する紙材から構成されることになるため、付勢手段を設け易く、しかも、紙材を折り畳むことにより形成されるため、付勢手段を形成し易くなる。
【００１４】
請求項４の発明に係るペーパーホルダーは、請求項２または請求項３の発明に係るペーパーホルダーにおいて、前記付勢手段は、前記基台部及び前記側片部を構成する紙材とは別途の部材により形成されると共に、基台部と側片部とに渡って取着されて、側片部を内方に付勢する付勢部材により構成されていることを特徴とするものである。
【００１５】
本発明では、付勢手段が、基台部及び側片部を構成する紙材とは別途の部材により形成されているため、付勢手段を構成する部材の材質として、基台部及び側片部を構成する紙材よりも付勢力に優れた材質を適用することができ、これにより、側片部を内方に確実に付勢することが可能となる。
【００１６】
請求項５の発明に係るペーパーホルダーは、請求項１から請求項４までのいずれか一つの発明に係るペーパーホルダーにおいて、前記基台部の下端から折り曲げ形成され、端部をロールペーパーに当接させてロールペーパーの引き出し方向とは逆方向の回転を規制する規制片部を備えることを特徴とするものである。
【００１７】
本発明では、規制片部によってロールペーパの引出し方向とは逆方向の回転を規制するため、使用に際して、引き出されたロールペーパーの端部がペーパーホルダーの内部側に不用意に逆戻せず、利便性が向上される。なお、規制片部は、基台部及び側片部を構成する紙材から折り曲げ形成されるため、規制片部を設け易く、しかも、形成し易くなる。さらに、基台部は、左右の両側片部と下端の規制片部とにより、少なくとも３辺が折り曲げられることになることから、基台部自体の剛性も向上される。
【００１８】
【発明の実施の形態】
本発明に係るペーパーホルダーの実施形態としての一例を、以下に、図面に基づいて詳細に説明する。
【００１９】
図１に示すように、本例のペーパーホルダー１０は、設置部位への取り付けの基台となる基台部２０と、この基台部２０の左右両側から前方に突設された側片部３０と、基台部２０の上端から前方に突設されて天面を構成する天面片部５０と、この天面片部５０の下方に配置され、前方に延出してロールペーパの上部を覆うカバー片部６０と、基台部２０の下端から斜め上方に突設され、ロールペーパーの回転を規制する規制片部４０とを備え、略全体が紙材により形成されたものである。ここで、左右の両側片部３０には、装着孔１５ａが穿設されており、ロールペーパーを支承する支承軸１５は、両側片部３０間において、各装着孔１５ａによって着脱可能に装着される。
【００２０】
このペーパーホルダー１０は、トイレやキッチンの壁面等の設置部位に恒常的且つ固定的に取り付けて使用することもできる。しかしながら、略全体が紙材により形成されたものでありため、ベッド、テーブル、机や箪笥等の家具、介護や育児等を行う部屋の壁面やドア等の建具等、適宜の設置部位に臨時的に取り付けたり、ゴミ箱、タオルやオムツを収容する容器、専用のスタンド等の移動可能な物品に取り付けて、介護や育児等を行うに際して使用するのが好適である。ここで、このペーパーホルダー１０の使用例を、以下に説明する。
【００２１】
例えば、図２に示すように、ペーパーホルダー用スタンド９０に、接着剤や粘着テープ等により取り付けることで、ペーパーホルダー用スタンドと共に移動させることができ、介護や育児に際して、好適に使用することができる。このペーパーホルダー用スタンド９０では、上面９１が傾斜面となっており、この上面９１にペーパーホルダー１０を取り付けることにより、斜め上方を向くようにペーパーホルダー１０を取り付けることができる。よって、ペーパーホルダー用スタンド９０を床面に置いて使用する場合には、ペーパーホルダー１０からロールペーパ１６を引き出し易く、使用に際しての利便性を向上させることができる。また、ペーパーホルダー用スタンド９０は、内部９２が中空となっており、内部９２の空間を、予備のロールペーパの収容空間、タオルやオムツの収容空間、使用済みの紙材のゴミ入れ等として、適宜、便利に使用することができる。
【００２２】
ところで、本例のペーパーホルダー１０は、図３に示すように、段ボール紙等の原紙材から所望の形状に打ち抜かれた１枚の紙材の適宜部位を折り曲げたり、折り畳むことによって組み立てられるものであり、次に、このペーパーホルダー１０の構造を詳細に説明する。なお、図３では、谷折りに折られる部位を破線にて示し、山折りに折られる部位を１点鎖線にて示してある。
【００２３】
紙材は、略中央部分に基台部２０と、この基台部２０の左右の両方に延出された側片部３０と、基台部２０の上方に延出された天面片部５０と、この天面片部５０から、さらに上方に延出されたカバー片部６０と、基台部２０の下方に延出された規制片部４０とを有する形状となっている。ここで、本例では、側片部３０が、側片部３０の外側を構成する外側片部３１と内側を構成する内側片部３２とからなるものであり、基台部２０の左右の両側方に外側片部３１が延出され、この外側片部３１から、さらに外方に内側片部３２が延出されている。また、天面片部５０は、天面片部５０の上側を構成する上面片部５１と下側を構成する下面片部５２とからなるものであり、基台部２０の上方に上面片部５１が延出され、この上面片部５１から、さらに上方に下面片部５２が延出されている。そして、カバー片部６０は、下面片部５２の上方に延出されている。
【００２４】
次に、この紙材の適宜部位を折ってペーパーホルダー１０を形成する組み立て方について説明する。
【００２５】
まず、基台部２０の表面の所望部位（図３における２点鎖線参照）に、図４に示すような付勢部材７０を、粘着テープや接着剤等により貼着しておく。この付勢部材７０は、後述するように、側片部３０を付勢する付勢手段の一例を示すものである。ここで、付勢部材７０は、基台部２０に貼着される基部７１と、側片部３０を付勢する付勢部７２とを備え、全体が略コ字状に形成されてなるものであり、ペーパーホルダー１０の略全体を形成する紙材とは別途の樹脂等の材料により形成されている。なお、付勢部７２は、基部７１に対して鋭角状に突出されており、側片部３０を内方に、良好に付勢するものとなっている。
【００２６】
次に、基台部２０に対して外側片部３１を谷折りに折り曲げ、これに合わせて、外側片部３１に対して内側片部３２を谷折りに折り畳む。この時、付勢部材７０の付勢片７２を、外側片部３１と内側片部３２との間に挿入された状態となるように配置する。また、内側片部３２の外縁には、突部３０ａが設けられており、基台部２０と外側片部３１との境界部分には孔部３０ｂが設けられており、突部３０ａを孔部３０ｂに挿入することにより、外側片部３１に対して内側片部３２が折り畳まれた状態で維持させる。また、外側片部３１の下縁には、付勢片部３３が延出されており、内側片部３２を外側片部３１に対して折り畳む際には、この付勢片部３３を外側片部３１に対して谷折りに折り畳み、外側片部３１と内側片部３２との間に配置させる。この付勢片部３３は、後述するように、側片部３０を付勢するものであり、上述の付勢部材７０とは異なる付勢手段を示すものである。さらに、外側片部３１の上縁には、挿入片部３４が延出されており、外側片部３１を基台部２０に対して折り曲げる際には、この挿入片部３４を外側片部３１に対して谷折りに折り曲げ、左右の両側片部３０から内方に突出させておく。
【００２７】
次に、下面片部５２に対してカバー片部６０を山折りに折り畳み、上面片部５１に対して下面片部５２を谷折りに折り畳み、これに合わせて、基台部２０に対して上面片部５１を谷折りに折り曲げる。この特、左右の両側片部３０から内方に突出する挿入片部３４を、上面片部５１と下面片部５２との間に挿入された状態で配置する。また、カバー片部６０と下面片部５２との間には、切込みにより形成され、カバー片部６０を下面片部５２に対して折り畳むと突出する突部５０ａが設けられており、基台部２０と上面片部５１との境界部分には孔部５０ｂが設けられており、突部５０ａを孔部５０ｂに挿入することにより、上面片部５１に対して下面部５２が折り畳まれた状態で維持させる。
【００２８】
一方、規制片部４０については、基台部２０に対して谷折りに折り畳んで、ペーパーホルダー１０の内部にて、基台部２０の下端から斜め上方に向けて突出する状態としておく。
【００２９】
このようにして組み立てられたペーパーホルダー１０では、図５に示すように、外側片部３１と内側片部３２との間に付勢部材７０の付勢部７２が配置されているため、この付勢部７２によって内側片部３２が内方に付勢され、もって、内側片部３２と外側片部３１とからなる側片部３０が内方に付勢され、左右の両側片部３０が互いに広がり難いものとなる。よって、両側片部３０間に装着された支承軸１５が不用意に脱落することを防止することができる。加えて、外側片部３１と内側片部３２との間に、外側片部３１から折り畳まれた付勢片部３３が配置されているため、付勢片部３３の折り畳みに抗する復元力により、内側片部３２が内方に付勢され、これによっても、左右の両側片部３０が互いに広がり難いものとなる。
【００３０】
また、上面片部５１と下面片部５２との間には、側片部３０の挿入片部３４が挿入されている。よって、外側片部３１と内側片部３２とからなる側片部３０、及び、上面片部５１と下面片部５２とからなる天面片部５０は、夫々、基台部２０から略直角に突出した状態で良好に維持される。
【００３１】
一方、図６に示すように、規制片部４０が、基台部２０の下端から折り畳まれて斜め上方に突出されており、この規制片部４０の端部は、折り畳みに抗する復元力によって先方に付勢され、支承軸１５を介して回転自在に保持されたロールペーパ１６の外周面に当接する。これにより、ロールペーパー１６の引き出し方向とは逆方向の回転が規制され、ロールペーパー１６を引き出して使用する際の利便性が向上される。特に、本例では、規制片部４０の端部が、先方に突出するように、図３に示す状態で山折りに折り曲げられているため、ロールペーパー１６の引き出し方向の回転には支障を来さない一方で、逆方向の回転を確実に規制することができる。
【００３２】
また、天面片部５０の奥端側からは、下面片部５２から折り畳まれたカバー片部６０が延出している。よって、このカバー片部６０は、折り畳みに抗する復元力によって下方に付勢され、ロールペーパー１６の紙材が少なくなっても、このロールペーパー１６を良好に覆う。このようなカバー片部６０によって、ロールペーパー１６の上側から汚物等のゴミがロールペーパー１６に付着することを良好に防止することができる。特に、本例では、カバー片部６０の端部が、ロールペーパ１６の外周に沿うように、図３に示す状態で谷折りに複数段に渡って折り曲げられているため、ロールペーパー１６を、より一層、良好に覆うことができる。
【００３３】
以上、本発明に係るペーパーホルダーの一例を示したが、本発明はこれに限らず、本発明の要旨を逸脱しない範囲で、適宜に変更してもよい。例えば、天面片部やカバー片部については、これらを備えないものであってもよい。また、天面片部やカバー片部を、基台部及び側片部を構成する紙材とは別途の紙材やその他の材質のものにより個別に形成し、基台部や側片部等に別途に組み付けることとしてもよい。なお、天面片部やカバー片部を、例えば金属や樹脂等により形成したとしても、ペーパーホルダーの主体部分を構成する基台部及び側片部が紙材であるため、身体を強く衝突させた場合には、基台部や側片部が破損して天面片部やカバー片部が脱落する。よて、大きな怪我をする虞は少なく、特に支障を来すことはない。しかしながら、天面片部やカバー片部を別部材により形成する場合には、紙材により形成すると、より一層、怪我をする虞を少なくすることができるため、好適である。
【００３４】
【発明の効果】
以上詳細に説明した本発明によれば、以下の効果を得ることができる。
【００３５】
請求項１の発明によれば、主体部分を構成する基台部及び側片部が紙材により形成されているため、身体を接触させても怪我をする虞の少ないペーパーホルダーとすることができ、また、廃棄処分も簡便なペーパーホルダーとすることができる。よって、特に、介護や育児の際に好適に使用することができる。
【００３６】
請求項２の発明によれば、基台部から突設された左右の側片部が相互に広がり難いため、装着された支承軸が不用意に脱落することを防止することができる。
【００３７】
請求項３の発明によれば、側片部を内方に付勢する付勢手段を設け易く、しかも、付勢手段を形成し易くすることができる。
【００３８】
請求項４の発明によれば、付勢手段を構成する部材の材質として、基台部及び側片部を構成する紙材よりも付勢力に優れた材質を適用することができ、これにより、側片部を内方に確実に付勢することができる。
【００３９】
請求項５の発明によれば、規制片部によって、引き出されたロールペーパーの端部がペーパーホルダーの内部側に不用意に逆戻りすることを防止でき、利便性を向上させることができる。また、基台部の少なくとも３辺が折り曲げられることから、基台部自体の剛性を向上させることもできる。
【図面の簡単な説明】
【図１】本発明に係るペーパーホルダーの一例を示す斜視図である。
【図２】ペーパーホルダーの使用状態の一例を示す斜視図である。
【図３】ペーパーホルダーを形成する紙材の一例を示す平面図である。
【図４】付勢部材の一例を示す斜視図である。
【図５】図１におけるＡ−Ａ断面図である。
【図６】図１におけるＢ−Ｂ断面図である。
【符号の説明】
１０    ペーパーホルダー
１５    支承軸
１５ａ  装着孔
１６    ロールペーパー
２０    基台部
３０    側片部
３０ａ  突部
３０ｂ  孔部
３１    外側片部
３２    内側片部
３３    付勢片部（付勢手段）
３４    挿入片部
４０    規制片部
５０    天面片部
５０ａ  突部
５０ｂ  孔部
５１    上面片部
５２    下面片部
６０    カバー片部
７０    付勢部材（付勢手段）
９０    ペーパーホルダー用スタンド
９１    上面
９２    内部
【図１】
2004154207.tif 000003
【図２】
2004154207.tif 000004
【図３】
2004154207.tif 000005
【図４】
2004154207.tif 000006
【図５】
2004154207.tif 000007
【図６】
2004154207.tif 000008